(57)【要約】      （修正有）【課題】建設現場における管理対象の管理が容易にできる建造物内管理対象管理システムを提供する。【解決手段】建造物内管理対象管理システムは、建造物内の気圧、温度及び湿度に関する計測データを識別情報として送信する発信機１１０と、識別情報をネットワークを介して収集する管理サーバ６０と、管理サーバ６０からの識別情報を表示する管理対象情報表示部を備える携帯端末１０とを有する。管理サーバ６０は、発信機１１０から送信された計測データに基づいて建造物内の管理対象の所在階及び数量を求める演算部及び演算部で求められた管理対象の所在階及び数量に関する管理対象情報並びに管理対象が収容された建造物の建造物情報を関連付けて記憶する記憶部と、記憶部に記憶された管理対象情報及び建造物情報を示す画面データを生成する画面データ生成手段及び生成された画面データを管理対象情報表示部に送信する送信手段と、を有する。【選択図】図５
2019152928.tif 000002
【特許請求の範囲】
【請求項１】
建造物内の管理対象に配され、建造物内の気圧及び温度を計測して計測データを出力する気圧センサを具備し、前記計測データを識別可能な識別情報として送信する発信機と、
前記発信機からの識別情報を、ネットワークを介して収集する管理対象管理サーバと、
前記管理対象管理サーバから提供された識別情報を表示する管理対象情報表示部を備える携帯端末とを有する、
建造物内管理対象管理システムであって、
前記管理対象管理サーバは、
前記発信機から送信された前記計測データに基づいて建造物内の前記管理対象の所在階及び数量を求める演算部と、
前記演算部で求められた前記管理対象の所在階及び前記数量に関する管理対象情報、並びに、前記管理対象が収容された建造物の建造物情報を関連付けて記憶する記憶部と、
前記記憶部に記憶された前記管理対象情報及び前記建造物情報を示す画面データを生成する表示制御部と、
前記画面データ生成手段により生成された前記画面データを前記管理対象情報表示部に送信する送信手段と、
を有することを特徴とする建造物内管理対象管理システム。
【請求項２】
前記建造物内の所定の位置に配置され、その配置位置における高さを基準高さとし、当該基準高さの気圧及び温度、湿度を計測して基準データを出力する基準気象センサと、前記計測データ及び前記基準データを算出するために必要な気圧情報及び温度情報、湿度情報を含む気象情報を、気象情報提供サイトからネットワークを介して取得する気象情報取得部とを備え、
前記演算部は、
前記気象情報に基づいて海面気圧を算出し、前記基準データに基づいて基準となる海抜を算出し、前記海面気圧及び前記海抜に基づいて建造物内の前記管理対象の所在階及び数量を求める、
ことを特徴とする請求項１に記載の建造物内管理対象管理システム。
【請求項３】
前記発信機は、前記携帯端末を操作する人に直接的に又は間接的に取付けられている、
ことを特徴とする請求項１又は２に記載の建造物内運搬体管理システム。
【請求項４】
前記管理対象管理サーバは、
前記携帯端末からの前記管理対象の新規登録要求又は既登録管理対象情報の確認（検索）要求により、前記記憶部に記憶され互いに関連付けされている前記管理対象情報及び前記建造物情報を示す登録確認画面データを生成する表示制御部を有し、
前記送信手段は生成された登録確認画面データを管理対象情報表示部に送信し、
送信された前記登録確認画面データに基づいて管理対象情報表示部に登録確認画面が表示される
ことを特徴とする請求項１〜３のいずれか１項に記載の建造物内管理対象運搬体管理システム。
【請求項５】
前記携帯端末は、
前記管理対象に関する管理対象識別情報をコード化した読取自在なコード情報を読み取る読取手段と、当該読み取られたコード情報を前記管理対象管理サーバにネットワークを介して送信するコード情報送信手段とを含み、
前記管理対象管理サーバは、
前記コード情報を受信する際に前記管理対象を管理するユーザのユーザ情報及び前記管理対象の所在階及び数量を抽出し、前記コード情報と関連付けて前記ユーザ情報、前記管理対象の所在階及び数量を管理データベースに格納して管理する、
ことを特徴とする請求項１〜４のいずれか１項に記載の建造物内管理対象管理システム。
【請求項６】
前記管理対象管理サーバは、
前記管理対象の所在階及び数量に関する前記管理対象情報を前記端末装置に表示させる表示制御部を有する、
ことを特徴とする請求項１〜５のいずれか１項に記載の建造物内管理対象管理システム。
【請求項７】
前記管理対象情報は、管理対象が物である場合にその物の所有者、貸与者、借受者、又は使用者に関する情報である、
ことを特徴とする請求項１〜６のいずれか１項に記載の建造物内管理対象管理システム。
【請求項８】
前記コード情報は、ＱＲコード又はバーコードである、
ことを特徴とする請求項５に記載の建造物内管理対象管理システム。
【請求項９】
発信機によって、建造物内の気圧及び温度を計測して計測データを出力し、前記計測データを識別可能な識別情報として送信するステップと、
管理対象管理サーバによって、前記発信機からの識別情報を、ネットワークを介して収集するステップと、
携帯端末によって、前記管理対象管理サーバから提供された識別情報を表示するステップとを備える建造物内管理対象管理方法であって、
前記管理対象管理サーバによって、
前記発信機から送信された前記計測データに基づいて建造物内の前記管理対象の所在階及び数量を求めるステップと、求められた前記管理対象の所在階及び前記数量に関する管理対象情報、並びに、前記管理対象が収容された建造物の建造物情報を関連付けて記憶するステップと、記憶された前記管理対象情報及び前記建造物情報を示す画面データを生成するステップと、生成された前記画面データを管理対象情報表示部に送信するステップとを有する、
ことを特徴とする建造物内管理対象管理方法。
【請求項１０】
建造物内の管理対象に配され、建造物内の気圧及び温度、湿度を計測して計測データを出力する気圧センサを具備し、前記計測データを識別可能な識別情報として送信する発信機と、
前記発信機からの識別情報を、ネットワークを介して収集する管理対象管理サーバと、前記管理対象管理サーバから提供された識別情報を表示する管理対象情報表示部を備える携帯端末とを備える建造物内管理対象管理システムにおける建造物内管理対象管理方法をコンピュータに実行させるためのプログラムであって、
前記管理対象管理サーバによって、
前記発信機から送信された前記計測データに基づいて建造物内の前記管理対象の所在階及び数量を求めるステップと、求められた前記管理対象の所在階及び前記数量に関する管理対象情報、並びに、前記管理対象が収容された建造物の建造物情報を関連付けて記憶するステップと、記憶された前記管理対象情報及び前記建造物情報を示す画面データを生成するステップと、生成された前記画面データを前記管理対象情報表示部に送信するステップとを含む処理を、
コンピュータに実行させるためのプログラム。
【発明の詳細な説明】
【技術分野】
【０００１】
本発明は、建造物内管理対象管理システム、建造物内管理対象管理方法、プログラムに関する。
【背景技術】
【０００２】
建設現場で作業する作業員や建設現場で使用される作業車や機械等にＩＣタグを取り付け、ＩＣタグリーダーを建設現場の各空間又はその出入口に設置して、建設現場での作業員や作業車や機械等の移動を管理するシステムが知られている（例えば、特許文献１参照）。
【先行技術文献】
【特許文献】
【０００３】
【特許文献１】特開２００５―３２６９６５号公報
【特許文献２】特開２０１６―０５７８０９号公報
【発明の概要】
【発明が解決しようとする課題】
【０００４】
高層ビルの建設現場では、作業員の所在階までは管理しておらず、作業員が不在の階でも照明を点灯させていたことから、電力の浪費があった。ここで、上記特許文献１に記載のシステムを用いて作業員や運搬物等の所在階を管理することも考えられるが、作業員や運搬物等の所在階を把握するには実際に各階へ行かないと把握できない。
【０００５】
また、上記特許文献２には、建設中の高層ビルに存在する作業員に保持され、気圧を計測して計測データを出力する気圧センサと、作業員や作業車に保持され、気圧センサから出力される計測データを発信する無線チップと、建設現場に設置され、無線チップから発信される計測データを受信する主受信機と、建設現場の基準高さに設置に設置され、基準高さの気圧を計測して計測データを出力する基準気圧センサと、主受信機が受信した気圧の計測データと、基準気圧センサから出力された基準気圧の計測データとに基づいて作業員や作業車の所在階を求める建設現場管理システムが開示されている。
しかしながら、建設現場には数多くの可搬物、不可搬物等があり、それらの所有先や個数等の情報の把握、管理は上記構成では困難である。
【０００６】
本発明は、上述した課題の少なくともいずれか一つを鑑み、建設現場において人や物の所在階、所属先、所有者、個数等の把握、管理が容易にできるシステムを提供することを目的とする。
【課題を解決するための手段】
【０００７】
上記課題を解決するために、本発明の建造物内管理対象管理システムの一側面は、建造物内の管理対象に配され、建造物内の気圧及び温度を計測して計測データを出力する気圧センサを具備し、前記計測データを識別可能な識別情報として送信する発信機（１１０）と、前記発信機からの識別情報を、ネットワークを介して収集する管理対象管理サーバ（６０）と、前記管理対象管理サーバ（６０）から提供された識別情報を表示する管理対象情報表示部（３０）を備える携帯端末（１０）とを有し、前記管理対象管理サーバ（６０）は、前記発信機（１１０）から送信された前記計測データに基づいて建造物内の前記管理対象の所在階及び数量を求める演算部（８０）と、前記演算部（８０）で求められた前記管理対象の所在階及び前記数量に関する管理対象情報、並びに、前記管理対象が収容された建造物の建造物情報を関連付けて記憶する記憶部（９０）と、前記記憶部に記憶された前記管理対象情報及び前記建造物情報を示す画面データを生成する表示制御部（１００）と、前記画面データ生成手段により生成された前記画面データを前記管理対象情報表示部（３０）に送信する送信手段（７２）とを有することを特徴とする。
【０００８】
本発明の建造物内管理対象管理方法の一側面は、発信機によって、建造物内の気圧及び温度を計測して計測データを出力し、計測データを識別可能な識別情報として送信するステップと、管理対象管理サーバによって、発信機からの識別情報を、ネットワークを介して収集するステップと、携帯端末によって、管理対象管理サーバから提供された識別情報を表示するステップとを備える建造物内管理対象管理方法であって、管理対象管理サーバによって、発信機から送信された計測データに基づいて建造物内の管理対象の所在階及び数量を求めるステップと、求められた管理対象の所在階及び数量に関する管理対象情報、並びに、管理対象が収容された建造物の建造物情報を関連付けて記憶するステップと、記憶された管理対象情報及び前記建造物情報を示す画面データを生成するステップと、生成された画面データを管理対象情報表示部に送信するステップとを有することを特徴とする。
【０００９】
本発明のプログラムの一側面は、建造物内の管理対象に配され、建造物内の気圧及び温度を計測して計測データを出力する気圧センサを具備し、前記計測データを識別可能な識別情報として送信する発信機と、発信機からの識別情報を、ネットワークを介して収集する管理対象管理サーバと、管理対象管理サーバから提供された識別情報を表示する管理対象情報表示部を備える携帯端末とを備える建造物内管理対象管理システムにおける建造物内管理対象管理方法をコンピュータに実行させるためのプログラムであって、管理対象管理サーバによって、発信機から送信された前記計測データに基づいて建造物内の管理対象の所在階及び数量を求めるステップと、求められた管理対象の所在階及び数量に関する管理対象情報、並びに、管理対象が収容された建造物の建造物情報を関連付けて記憶するステップと、記憶された管理対象情報及び建造物情報を示す画面データを生成するステップと、生成された画面データを管理対象情報表示部に送信するステップとを含む処理をコンピュータに実行させる。
【発明の効果】
【００１０】
本発明によれば、建設現場において人や物の所在階、所属先、所有者、個数等の把握、管理が容易にできる建造物内管理対象管理システム、建造物内管理対象管理方法、プログラムを提供することができる。
【図面の簡単な説明】
【００１１】
【図１】建造物内管理対象管理システムの構成を示した図である。
【図２】携帯端末の構成を示したブロック図である。
【図３】管理サーバの構成を示した図である。
【図４】発信機の構成を示した図である。
【図５】建造物内管理対象管理システムの処理を説明するための図である。
【図６】登録処理の詳細を説明するための図である。
【図７】建造物内管理対象管理システム内の処理の例を示すシーケンス図である。
【図８】管理対象の登録及び状況確認における端末表示画面の遷移を示した図である。
【図９】メニュー画面において各種設定を選択した場合における端末表示画面の遷移を示した図である。
【図１０】メニュー画面においてユーザ管理、貸与管理を選択した場合における端末表示画面の遷移を示した図である。
【発明を実施するための形態】
【００１２】
以下、本発明の実施の形態に係る建造物内管理対象管理システム、建造物内管理対象管理方法、プログラムについて図面を参照しながら説明する。なお、本発明の建造物内管理対象管理方法、プログラムは、建造物内管理対象管理システムの動作、および建造物内管理対象管理システムとして機能させるためにインストールされたプログラムを例として説明する。しかしながら、本発明に係る本発明の実施の形態に係る建造物内管理対象管理システム、建造物内管理対象管理方法、プログラムは、以下に説明する実施形態に限定されるものではない。
【００１３】
本実施の形態に係る建造物内管理対象管理システム１は、図１に示すように、建造物内ユーザが所持し、ネットワークアクセス機能を備えた例えばスマートフォンやタブレットのような携帯端末１０やオフィス内のパーソナルコンピュータ（ＰＣ）１１と、この携帯端末１０等とネットワーク１５（基地局５と通信網（以下、「ネットワーク」と呼ぶ。）１７、１８を含む概念）を利用して通信可能に接続される建造物内管理対象管理アプリケーションシプログラム（以下「管理アプリ」という）を搭載し、クラウドコンピューティング処理を行う管理サーバ６０と、気圧、温度及び湿度の情報を通知する機能と識別情報（ＩＤ）を通知する機能を備え管理対象１３（人、個体物（稼働式運搬体、非稼働式運搬体等））に取り付けられた発信機１１０と、外部の様々な気象情報提供サイトからの気象データを取得して通知する機能を有する気象情報配信サーバ１６とを有している。なお、発信機１１０には気圧情報を取得する気圧センサ１３０を備えているが、この気圧センサ１３０には温度情報を取得する温度センサ１３１と湿度情報を取得する湿度センサ１３２が内蔵されている。ただし、温度センサ１３１と湿度センサ１３２は気圧センサに内蔵された態様とせずに気圧センサとは別に単独で発信機に設けるようにしてもよい。また、気圧情報及び温度情報だけで所在階の情報等を取得するようにしてもよい。なお、以下では気圧、温度及び湿度情報に基づいて管理対象の所在階を求める管理サーバ６０を例にして説明する。また以下の実施例は携帯端末１０を用いたものであるが、パーソナルコンピュータ１１も含めての説明であることは言うまでもない。
【００１４】
本発明における建造物内管理対象管理システム１では、携帯端末１０と管理サーバ６０との間及び発信機１１０と管理サーバ６０との間においては所定のネットワーク規格のネットワーク１５を介して通信が行われる。管理サーバ６０と気象情報配信サーバ１６との間においては所定のネットワーク規格のネットワーク１９を介して通信が行われる。なお、携帯端末１０と管理サーバ６０との間及び管理サーバ６０と気象情報配信サーバ１６との間の通信の確立は、例えば後述するネットワーク１８、１９としてのＷｉ−Ｆｉを利用したインターネットを介して行われ、発信機１１０と管理サーバ６０との間の通信の確立は、例えば後述するＭ２Ｍ向けのＬＰＷＡＮ（Low-PowerWide-AreaNetwork）なる通信網１７を介して行われる。
【００１５】
ここで、ネットワーク１５は上記したように基地局５や中継局（図示せず）を含んだ概念であって通信方式は、広域接続性があること、双方向通信できること、低消費電力性を有することを満たすものであればよい。例えば、ＳｉｇＦｏｘ（登録商標、以下同様）及びＬｏＲａ（登録商標、以下同様）、ＬＴＥ−ＭＴＣ（ＬＴＥマシン型通信：LTE-MachineTypeCommunications）等のＭ２Ｍ向けのＬＰＷＡＮ（Low-PowerWide-AreaNetwork）などが好ましいが、これ以外にもマイクロ波帯無線（例えば、Ｗｉ−Ｆｉ、Ｚｉｇｂｅｅ（登録商標、以下同様）、Ｂｌｕｅｔｏｏｔｈ（登録商標、以下同様）等）、ミリ波帯無線（例えば、ＷＩＧＩＧ（登録商標、以下同様）等）、サブＧＨｚ帯無線（例えば、Ｗｉ−ＳＵＮ（WirelessSmartUtilityNetwork）（登録商標、以下同様）、Ｚ−ｗａｖｅ（登録商標、以下同様）、Ｚｉｇｂｅｅ、Ｗｉ−ＨａＬｏｗ（登録商標、以下同様）等）であってもよい。
【００１６】
［発信機］
図４は、発信機１１０の概略構成を示すブロック図である。図４に示すように、発信機１１０は、送信処理部１２０、温度センサ１３１及び湿度センサ１３２を含む気圧センサ１３０、補正部及び電池部（図示せず）、情報記憶媒体１４０を備える。これらは基板に実装されており、ケースに収納されている。送信処理部１２０は、本実施形態では９２０ＭＨｚ帯無線通信モジュールであり、発信機ごとに予め割り当てられた発信機ＩＤと気圧センサ１３０から出力される計測データ（気圧、温度、湿度）とをネットワーク１５を介して管理サーバ６０に送信（無線通信）される。ネットワーク規格（通信方式、通信規格）は上記したとおりである。なお、上記したように温度センサ１３１や湿度センサ１３２は気圧センサ１３０に内蔵されているものとそうでないもの（単体の温度センサ、湿度センサ）の双方どちらでもよいが、本実施例では、気圧センサ１３０に温度センサ１３１、湿度センサ１３２が内蔵されているものを例にして説明する。
【００１７】
情報記憶媒体１４０は、例えば、ＱＲコード、ＩＣタグのように発信機に簡単に貼り付けられるものであり、発信機１１０ごとに異なる個別ＩＤ（発信機ＩＤ）が付与されている。後述するが、この発信機１１０が取り付けられた管理対象の名称、及び、所有者、使用者（取扱者）等の氏名、住所等の情報と発信機ＩＤとは対応づけられて管理サーバ６０内のデータベース９０に登録（記憶）されている。
【００１８】
［気圧センサ］
気圧センサ１３０は、小型の絶対圧センサであり、例えば、ＳＴ−ＭＩＣＲＯ社製のＬＰＳ２５Ｈ、ＯＭＲＯＮ社製の２ＳＭＰＢ−０１、ＶＴＩＴＥＣＨＮＯＬＯＧＩＥＳ社製、のＳＣＰ１０００、ＢＭＥ２８０等を採用できる。気圧センサ１３０は、温度センサ１３１、湿度センサ１３２を内蔵しており、気圧の計測データ（気圧Ｐ１）と共に気温、湿度の計測データ（気温Ｔ１、湿度Ｄ１）を出力する。
なお、気圧センサ１３０の他に、気象情報配信サーバ１６からの基準となる気象データ（基準気圧Ｐ０、基準気温Ｔ０、基準湿度Ｄ０）を取得する。取得した気象データは管理サーバへ出力される。なお、基準気象センサ（図示せず）を建設現場に設置することで、上記の気象データの代用として基準となる気象データ（基準気圧Ｐ０′、基準気温Ｔ０′、基準湿度Ｄ０′）を計測することもできる。基準気象センサで計測された計測データは同様に管理サーバへ出力される。なお、基準気象センサは状況に応じて各階に設けるようにしてもよい。また、気象情報配信サーバ１６と基準気象センサからの気象データは、どちらか一方、もしくは両方を使用することもでき、確度を上げるために機械学習などを用いて基準となる気象データを推定することもできる。
【００１９】
管理サーバのデータベースには、気圧Ｐ１と基準気圧Ｐ０との差（差圧（Ｐ０−Ｐ１））と、温度Ｔ１と基準温度Ｔ０との差（差温（Ｔ０−Ｔ１）、湿度Ｄ１と基準湿度Ｄ０との差（差湿（Ｄ０−Ｄ１）、気圧Ｐ１、Ｔ１、Ｄ１を計測した気圧センサ１３０の所在階（即ち、管理対象１３の所在階）Ｎとの関係を示すマップや演算式等の関係情報が記憶されている。所在階Ｎの算出は管理サーバ６０の演算部８０が行うが詳細は後述する。
【００２０】
［携帯端末］
携帯端末１０は、入力制御部２０、管理対象情報表示部（タッチパネル等）３０、通信処理部４０、描画処理部５０など、ハードウェアを含んで実現される機能を有するとともに、不図示のメモリに記録されている（インストールされている）管理アプリを、不図示のコンピュータ（ＣＰＵ等の演算装置、命令や情報を格納するレジスタ、周辺回路などを含むプロセッサ）が実行することにより、各種機能を実現することが可能である。また、ユーザ端末は、一度に複数の管理アプリを実行（マルチタスク）することが可能である。
【００２１】
携帯端末１０は、図２に示すように入力制御部２０、管理対象情報表示部３０、通信処理部４０及び描画処理部５０を含んで構成されている。ここで、管理対象情報とは後述する管理対象ＩＤ、管理対象所有者、管理対象の数量、所在階等の情報をすべて含んだ概念である。入力制御部２０は、新たに管理対象としたいものの情報の登録を要求する管理対象登録要求部２１、登録内容を入力する管理対象情報入力部２２、管理対象情報の確認を要求する管理対象確認要求部２３、管理対象ＩＤを取得する管理対象ＩＤ取得部（例えば、ＱＲコードリーダ）を含んで構成される。管理対象情報表示部３０は管理対象情報を表示する機能を有する。通信処理部４０は、入力制御部２０で要求された新規登録情報の登録要求及び入力された登録内容、管理対象情報の確認要求、取得された管理対象ＩＤを送信したり、確認要求された管理対象情報を受信する機能を有する。描画処理部５０は受信された管理対象情報を管理対象情報表示部３０に表示させる機能を有する。
【００２２】
携帯端末１０が有する機能のうち、図２に記載された部分は建造物内管理対象管理システムを利用するための管理アプリの実行により実現される機能である。建造物内管理対象管理システムの利用時には、管理アプリが起動されて、入力制御部２０、管理対象情報表示部３０、通信処理部４０、描画処理部５０の各機能が用いられる。
【００２３】
管理対象情報表示部３０として例えばタッチパネルを例にとると、タッチパネルは、液晶パネル等の表示装置とタッチパッド等の位置入力装置を組み合わせたものであり、実行されている管理アプリの処理により各種情報を表示するとともに、ユーザが指先等で画面に触れることにより、操作入力が可能である。
【００２４】
通信処理部４０は、通信処理を行うための各種アンテナ等のハードウェアを含んで構成され、例えば、ｗｉ−ｆｉを利用したインターネットなどのネットワーク１８を介して、ネットワーク１８と接続し、各種アプリケーションにより実現される機能に基づいて、管理サーバ６０を含む外部機器と情報を授受する。
【００２５】
［管理サーバ］
図３は、管理サーバ６０の概略構成を示すブロック図である。図３に示すように、管理サーバ６０は、通信処理部７０と、演算部８０と、データベース（ＤＢ）９０と、表示制御部１００とを備えている。通信処理部７０は、発信機１１０から送信された発信機ＩＤ、気圧Ｐ１及び気温Ｔ１、湿度Ｄ１の計測データ、基準気象センサから出力された基準気圧Ｐ０′及び基準温度Ｔ０′、基準湿度Ｄ０′の計測データ、及び後述する気象情報配信サーバ１６からのリアル気象データ（基準気圧Ｐ０及び基準温度Ｔ０、基準湿度Ｄ０）とを受信し、データベース９０に格納された管理対象ＩＤに対応する登録された管理対象情報を携帯端末１０に送信する機能を有する。
【００２６】
演算部８０は、気圧Ｐ１、気温Ｔ１及び湿度Ｄ１に基づいて対応する所在階Ｎを求める。そして送信元である発信器ＩＤと求められた所在階Ｎを対応付けてデータベース９０に格納する。ここで、上記した所在階Ｎの算出の精度を高めるために、例えば、気温Ｔ１がＴ０より高い場合に、その差に応じて、気圧Ｐ１と基準気圧Ｐ０とが実測値よりも低い値になるように補正したり、気温Ｔ１がＴ０よりも低い場合に、その差に応じて、気圧Ｐ１と基準気圧Ｐ０とが実測値よりも高い値になるように補正するようにしてもよい。
なお、データベース９０には気温Ｔ１と基準気温Ｔ０との大小関係、差分値に応じてどの程度補正すれば良いかについての情報（マップや演算式等の補正情報）が予め記憶されている。
【００２７】
データベース９０には、元々発信機１１０が取り付けられた管理対象の名称、及び、所有者、使用者（取扱者）等の氏名、住所、管理対象の数量等の管理対象情報と発信機ＩＤとを対応付けされた情報が記憶されているため、演算部８０では送信元である発信機ＩＤと、この発信機ＩＤが取り付けられた管理対象１３の所在階Ｎ、管理対象の名称、及び、所有者、使用者（取扱者）等の氏名、住所等の情報と、管理対象情報とを関連付けして（対応付けして）データベース９０に記憶させる。記憶された表示制御部１００は、管理対象１３の所在階Ｎとその管理対象の名称、所有者、使用者（取扱者）等の氏名、住所等の情報（管理対象情報）とを関連付けした（対応付けした）情報を示す画面データを生成し、生成された画面データを管理対象情報表示部３０に表示させる。
【００２８】
［気象情報配信サーバ］
気象情報配信サーバ１６はネットワーク１９を介して外部の様々な気象情報提供サイトからリアルタイムの気象情報（気圧、気温、湿度、他の情報）を取得し、取得したリアルタイム気象情報を管理サーバ６０の演算部８０に送信している。
【００２９】
［基準気象センサ］
基準気象センサはネットワーク１５を介して建設現場の地上階の基準となる位置に設置されたセンサからリアルタイムの気象情報（気圧、気温、湿度、他の情報）を取得し、取得したリアルタイム気象情報を管理サーバ６０の演算部８０に送信している。また、基準気象センサはネットワーク１９を介して取得するようにすることもできるのは言うまでもない。
【００３０】
（システムの処理の流れ）
次に、本実施例１に係る１の具体的内容及び処理の流れについて、図５〜図７を参照して説明する。
【００３１】
［携帯端末１０に対するログイン動作］
操作者が携帯端末１０を使用する前に、携帯端末１０の操作者は管理アプリを起動させる。管理アプリが起動されると、ログイン画面（図８のａ１参照）が表示されログインする際には、ユーザＩＤ，パスワードの入力欄に、上述のように通知されたユーザＩＤ，パスワードを入力する（図７のステップＳ２０１）。この後、認証ボタン（図８のａ１参照）を選択（押下）し、携帯端末１０からの認証情報がデータベースに登録されている認証情報（ユーザＩＤ，パスワードのハッシュ値等）と一致していればログインが成功し、その旨が携帯端末１０に通知され、一致しなければ、認証が失敗した旨が携帯端末１０に通知される（図６のステップＳ２０２）。
【００３２】
ログインが成功すると、携帯端末の通信処理部４０は、現在ログインしている操作者のユーザＩＤと、携帯端末１０についての情報（端末ＩＤ，ＩＰアドレス等）を管理サーバ６０に送信し、管理アプリの起動を要求する（図７のステップＳ２０３）。管理サーバ６０の表示制御部１００は、ＱＲコード読込、管理対象確認、各種設定、ユーザ管理、貸与管理を選択するボタンが表示されたメニュー画面（図８のｂ１参照）を携帯端末１０の管理対象情報表示部３０に表示させる（図７のステップＳ２０４）。管理対象情報表示部３０へのメニュー画面の表示は、描画処理部５０によって行われる。なお、メニュー表示画面には、他の情報が表示されたり、他の操作ボタンが用意されていてもよいことは言うまでもない。
【００３３】
［ＱＲコード読込シーケンス（登録シーケンス）］
メニュー画面において「ＱＲコード読込」を選択した場合、携帯端末１０のＱＲコード読込リーダが起動し読込可能な状態になる。管理対象（人、物等）に予め貼付されているＱＲコードをリーダで読み込み、管理対象の名称、使用者を登録する（図５のステップＳ１００、図７のステップＳ２０５、Ｓ２０８）。ここで、発信機１１０に予め貼付されているＱＲコードをリーダで読み込むと図８（Ｃ１）に示すような登録画面が管理対象情報表示部３０に表示される。画面上部の窓（プルダウン画面）には例えば台車、椅子、その他を選択する画面が表示される。例えば、読み込んだ管理対象が台車だった場合にはプルダウン画面で「台車」を選択し、下部の登録ボタンを押下する。次に例えば読み込んだ管理対象が椅子だった場合にはプルダウン画面で「椅子」を選択し、下部の登録ボタンを押下する。こうして任意の管理対象を新規登録することができる。
【００３４】
同様に、画面中央の窓（プルダウン画面）には例えばＡ業者、Ｂ業者、Ｃ業者を選択する画面が表示される。読み込んだ管理対象を使用する業者を、上部の窓で説明した要領で、登録することができる。管理対象の個数選択においては新規登録された管理対象の数が管理サーバ６０の演算部で集計されて個数が確定する。なお、図８（ｂ２）に示された個数は上記処理によって集計されて確定された個数である。
【００３５】
登録ボタンが押下される毎に、管理対象のＩＤ（ＱＲコードに対応しているＩＤ）、氏名、名称等の情報が管理サーバ６０の演算部８０に通信処理部４０を介して送信される（図7のステップＳ２０８）。発信機１１０に内蔵された気圧センサ１３０（及び／又は基準気圧センサ）からの気圧、気温の情報はネットワーク１５を介して管理サーバ６０の演算部８０に送信される（図7のステップＳ２０７）。また、気象情報配信サーバ１６を介して気象情報も抽出され、抽出された気象情報は管理サーバ６０の演算部８０に送信される（図７のステップＳ２０６）。
【００３６】
演算部８０は、管理対象ＩＤ情報を受信する（図５のステップＳ１０１）と共に、気圧センサ１３０からの気圧、気温、湿度の情報（気圧Ｐ１、気温Ｔ１、湿度Ｄ１の計測データ）、基準気象センサからの気圧、気温、湿度の情報（基準気圧Ｐ０′、基準温度Ｔ０′、基準湿度Ｄ０′の計測データ）、並びに気象情報配信サーバ１６からのリアルタイム気象情報（基準気圧Ｐ０′、基準温度Ｔ０′、基準湿度Ｄ０′の計測データ）を受信し（図５のステップＳ１１０、図7のステップＳ２０６、Ｓ２０７）、それら気象情報に基づいて各管理対象１３の所在階（Ｎ）を求める（図６のステップＳ１０６）。次に、受信した管理対象のＩＤ情報、氏名、名称、数量等の情報、所在階（Ｎ）をそれぞれ対応付けて（図7のステップＳ１０７）データベース９０に記憶させる（図５のステップＳ１０８、図８（ｂ４）参照）。
【００３７】
［管理対象確認シーケンス］
次に、メニュー画面において「管理対象確認」を選択すると、管理対象確認要求が管理サーバ６０に送信され（図５のステップＳ１１６、図７のステップＳ２０９）、演算部８０による管理対象確認処理が実行される（図５のステップＳ１１８）。上記ステップＳ１０４の登録処理においてデータベース９０に対応付けて記憶された管理対象１３の所在階が各階毎に集計され（図５のステップＳ１１８）、表示制御部１００によって各階数表示欄に管理対象を種別ごとに集計した台数が表示部に表示され（図５のステップＳ１２０）、その他現場名、気温、湿度等の情報も表示部に表示される（図８の（ｂ２）参照）。なお、何かしらの理由で発信機１１０からの通信を受信できなかったものについては、通信ＮＧの表示をさせることができる。
【００３８】
さらに表示内の管理対象を個別に選択するとその管理対象のより詳細な情報が表示される（図８（ｃ２）参照）。このように予め登録されている管理対象の名称、及び、所有者、使用者（取扱者）等の氏名、住所、管理対象の数量等の管理対象情報と対応する発信機ＩＤの検索が可能であり、それらの検索結果を表示させることができる。
【００３９】
また、同表示画面では、使用業者、使用者、管理対象の種別ごとに検索することができ、其々の項目ごとに、対象となる管理対象を階数毎に表示させることができる。階数表示を押下すると、該当する階に所在する管理対象１３が列挙して表示される。表示される内容は、管理対象の種別及び使用業者である。
【００４０】
［各種設定］
次に、メニュー画面において「各種設定」（図９（ａ３参照）を選択すると各種設定処理が実行され、表示制御部１００は、例えば管理対象情報表示部３０に管理対象プルダウン設定を行える管理対象種類登録画面（図９（ｂ３）参照）や利用者情報の登録や利用者情報の確認を行える利用者情報管理画面（図９（ｂ４）参照）を表示させる。また、現場情報の登録を行える現場情報設定画面（図示せず）を表示させる。
【００４１】
［ユーザ管理］
次に、メニュー画面において「ユーザ管理」（図１０（ａ５）参照）を選択するとユーザ管理処理が実行され、表示制御部１００は管理対象情報表示部３０にユーザ管理画面を表示させる（図１０（ｂ５）参照）。このユーザ管理画面上で登録内容の更新や新規ユーザ登録（図１０（ｃ５）参照）が可能となる。図１０（ｃ５）の新規ユーザ登録画面はユーザ管理画面上の新規ユーザ登録ボタンをクリックすると表示される。
【００４２】
［貸与管理］
次に、メニュー画面において「貸与管理」（図１０（ａ６）参照）を選択すると管理対象貸与管理処理が実行され、表示制御部１００は管理対象情報表示部３０に管理対象貸与管理画面を表示させる（図１０（ｂ６）参照）。この管理対象貸与管理画面上で、登録ＩＤ、対象管理の種別、使用業者で検索することができる。また、各管理対象にコメントを残すことができる。（図１０（ｃ６）参照）
【００４３】
（効果）
本実施の形態に係る建造物内管理対象管理システムによれば管理対象を管理する者が携帯端末の表示画面を見るだけで管理対象の所在階、種類、数量等の状況をその場で把握することができる。
【００４４】
また、携帯端末での登録処理や更新処理が自動的に管理サーバ内のデータベースにアップデートされるので、携帯端末と管理サーバの一元管理が可能となり、管理サーバ側においても、管理対象の所有者、使用者、所在階、種類、数量、使用中か否かの情報等を把握することができ、管理対象の管理を効率良く行うことができる。
【００４５】
また、管理対象に気圧センサ、温度センサ付の発信機を取り付けており情報送信を例えばＭ２Ｍ向けのＬＰＷＡＮ等の双方向通信ネットワークを介して行っているので建造物の各階ごとにビーコン等の発信機等を設けなくてもよい。
【００４６】
本発明は、上述した実施の形態の機能を実現するソフトウェアのプログラム（図９，図１０のフローチャート）をコンピュータ又はＣＰＵに供給し、そのコンピュータ又はＣＰＵが該供給されたプログラムを読出して実行することによって、達成することができる。
【００４７】
この場合、上記プログラムは、該プログラムを記憶した記憶媒体から直接供給されるか、又はインターネット、商用ネットワーク、若しくはローカルエリアネットワーク等に接続される不図示の他のコンピュータやデータベース等からダウンロードすることにより供給される。
【００４８】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００４９】
更に、本発明は、前述した実施の形態を実現するソフトウェアのプログラムがインターネット上のデータベース又はホームページから通信プログラムによりダウンロードされ、このプログラムを読出して実行することによって達成することができる。
【００５０】
上記プログラムは、クライアントコンピュータのブラウザを用いてインターネットのホームページに接続し、該ホームページからコンピュータプログラム自体、又は自動インストール機能を含む圧縮ファイルをハードディスク等の記憶媒体にダウンロードすることによっても供給することができる。
【００５１】
また、上記プログラムは、プログラムコードを暗号化した上で格納したＣＤ−ＲＯＭ等の記憶媒体をユーザに配布し、所定の条件をクリアしたユーザに対し、インターネットを介してホームページから暗号化を解く鍵情報をダウンロードさせ、その鍵情報を使用することにより暗号化されたプログラムコードを実行してコンピュータにインストールさせることによっても供給することができる。
【００５２】
上述した実施の形態の機能は、プログラムコードを複数のファイルに分割し、夫々のファイルを異なるホームページからダウンロードすることによっても実現することができる。即ち、本発明の機能処理をコンピュータで実現させるためのプログラムファイルを複数のユーザに対してダウンロードさせるＷＷＷサーバも、本発明を構成する。
【００５３】
また、上述した実施の形態の機能は、記憶媒体から読出されたプログラムが、コンピュータに挿入された機能拡張ボード又はコンピュータに接続された機能拡張ユニットに備えられたメモリに書込まれた後、そのプログラムの指示に基づき、その機能拡張ボード又は機能拡張ユニットに備えられたＣＰＵ又はＭＰＵ等が実際の処理の一部又は全部を実行することによっても実現することができる。
【符号の説明】
【００５４】
１  建造物内管理対象管理システム、５  基地局、１０  携帯端末、１１  パーソナルコンピュータ（ＰＣ）、１２  基準気象センサ、１３  管理対象、１５  ネットワーク、１６  気象情報配信サーバ、１７、１８、１９  通信網（ネットワーク）、２０  入力制御部、３０  管理対象情報表示部、４０  通信処理部、５０  描画処理部、６０  管理サーバ、７０  通信処理部、８０  演算部、９０  データベース（DB）、１００  表示制御部、１１０  発信機、１２０  送信処理部、１３０  気圧センサ、１３１  温度センサ、１３２  湿度センサ、１４０  情報記憶媒体
【図１】
2019152928.tif 000003
【図２】
2019152928.tif 000004
【図３】
2019152928.tif 000005
【図４】
2019152928.tif 000006
【図５】
2019152928.tif 000007
【図６】
2019152928.tif 000008
【図７】
2019152928.tif 000009
【図８】
2019152928.tif 000010
【図９】
2019152928.tif 000011
【図１０】
2019152928.tif 000012
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
建造物内の管理対象に配され、建造物内の気圧及び温度を計測して計測データを出力する気圧センサを具備し、前記計測データを識別可能な識別情報として送信する発信機と、
前記発信機からの識別情報を、ネットワークを介して収集する管理対象管理サーバと、
前記管理対象管理サーバから提供された識別情報を表示する管理対象情報表示部を備える携帯端末とを有する、
建造物内管理対象管理システムであって、
前記管理対象管理サーバは、
前記発信機から送信された前記計測データに基づいて建造物内の前記管理対象の所在階及び数量を求める演算部と、
前記演算部で求められた前記管理対象の所在階及び前記数量に関する管理対象情報、並びに、前記管理対象が収容された建造物の建造物情報を関連付けて記憶する記憶部と、
前記記憶部に記憶された前記管理対象情報及び前記建造物情報を示す画面データを生成する表示制御部と、
前記画面データ生成手段により生成された前記画面データを前記管理対象情報表示部に送信する送信手段とを有し、
さらに、前記建造物内の所定の位置に配置され、その配置位置における高さを基準高さとし、当該基準高さの気圧及び温度、湿度を計測して基準データを出力する基準気象センサと、気圧情報及び温度情報、湿度情報を含む気象情報を、気象情報提供サイトからネットワークを介して取得する気象情報取得部とを備え、
前記演算部は、
前記気象情報及び前記基準データの少なくとも一方に基づいて海面気圧ならびに基準となる海抜を算出し、前記海面気圧及び前記海抜に基づいて建造物内の前記管理対象の所在階及び数量を求める、
ことを特徴とする建造物内管理対象管理システム。
【請求項２】
前記発信機は、前記携帯端末を操作する人に直接的に又は間接的に取付けられている、
ことを特徴とする請求項１に記載の建造物内運搬体管理システム。
【請求項３】
前記管理対象管理サーバは、
前記携帯端末からの前記管理対象の新規登録要求又は既登録管理対象情報の確認（検索）要求により、前記記憶部に記憶され互いに関連付けされている前記管理対象情報及び前記建造物情報を示す登録確認画面データを生成する表示制御部を有し、
前記送信手段は生成された登録確認画面データを管理対象情報表示部に送信し、
送信された前記登録確認画面データに基づいて管理対象情報表示部に登録確認画面が表示される
ことを特徴とする請求項１又は２に記載の建造物内管理対象運搬体管理システム。
【請求項４】
前記携帯端末は、
前記管理対象に関する管理対象識別情報をコード化した読取自在なコード情報を読み取る読取手段と、当該読み取られたコード情報を前記管理対象管理サーバにネットワークを介して送信するコード情報送信手段とを含み、
前記管理対象管理サーバは、
前記コード情報を受信する際に前記管理対象を管理するユーザのユーザ情報及び前記管理対象の所在階及び数量を抽出し、前記コード情報と関連付けて前記ユーザ情報、前記管理対象の所在階及び数量を管理データベースに格納して管理する、
ことを特徴とする請求項１〜３のいずれか１項に記載の建造物内管理対象管理システム。
【請求項５】
前記管理対象管理サーバは、
前記管理対象の所在階及び数量に関する前記管理対象情報を前記端末装置に表示させる表示制御部を有する、
ことを特徴とする請求項１〜４のいずれか１項に記載の建造物内管理対象管理システム。
【請求項６】
前記管理対象情報は、管理対象が物である場合にその物の所有者、貸与者、借受者、又は使用者に関する情報である、
ことを特徴とする請求項１〜５のいずれか１項に記載の建造物内管理対象管理システム。
【請求項７】
前記コード情報は、ＱＲコード又はバーコードである、
ことを特徴とする請求項４に記載の建造物内管理対象管理システム。
【請求項８】
発信機によって、建造物内の気圧及び温度を計測して計測データを出力し、前記計測データを識別可能な識別情報として送信するステップと、
管理対象管理サーバによって、前記発信機からの識別情報を、ネットワークを介して収集するステップと、
携帯端末によって、前記管理対象管理サーバから提供された識別情報を表示するステップとを備える建造物内管理対象管理方法であって、
前記管理対象管理サーバによって、
前記発信機から送信された前記計測データに基づいて建造物内の前記管理対象の所在階及び数量を求めるステップと、求められた前記管理対象の所在階及び前記数量に関する管理対象情報、並びに、前記管理対象が収容された建造物の建造物情報を関連付けて記憶するステップと、記憶された前記管理対象情報及び前記建造物情報を示す画面データを生成するステップと、生成された前記画面データを管理対象情報表示部に送信するステップとを有し、
気象情報取得部によって、
前記建造物内の所定の位置に配置され、その配置位置における高さを基準高さとし、当該基準高さの気圧及び温度、湿度を計測して基準データを出力するステップと、気圧情報及び温度情報、湿度情報を含む気象情報を、気象情報提供サイトからネットワークを介して取得するステップを有し、
前記演算部によって、
前記気象情報及び前記基準データの少なくとも一方に基づいて海面気圧ならびに基準となる海抜を算出し、前記海面気圧及び前記海抜に基づいて建造物内の前記管理対象の所在階及び数量を求めるステップを有する
ことを特徴とする建造物内管理対象管理方法。
【請求項９】
建造物内の管理対象に配され、建造物内の気圧及び温度、湿度を計測して計測データを出力する気圧センサを具備し、前記計測データを識別可能な識別情報として送信する発信機と、
前記発信機からの識別情報を、ネットワークを介して収集する管理対象管理サーバと、前記管理対象管理サーバから提供された識別情報を表示する管理対象情報表示部を備える携帯端末とを備える建造物内管理対象管理システムにおける建造物内管理対象管理方法をコンピュータに実行させるためのプログラムであって、
前記管理対象管理サーバによって、
前記発信機から送信された前記計測データに基づいて建造物内の前記管理対象の所在階及び数量を求めるステップと、求められた前記管理対象の所在階及び前記数量に関する管理対象情報、並びに、前記管理対象が収容された建造物の建造物情報を関連付けて記憶するステップと、記憶された前記管理対象情報及び前記建造物情報を示す画面データを生成するステップと、生成された前記画面データを前記管理対象情報表示部に送信するステップとを含む処理とを、
気象情報取得部によって、
前記建造物内の所定の位置に配置され、その配置位置における高さを基準高さとし、当該基準高さの気圧及び温度、湿度を計測して基準データを出力するステップと、気圧情報及び温度情報、湿度情報を含む気象情報を、気象情報提供サイトからネットワークを介して取得するステップとを含む処理と、
前記演算部によって、
前記気象情報及び前記基準データの少なくとも一方に基づいて海面気圧ならびに基準となる海抜を算出し、前記海面気圧及び前記海抜に基づいて建造物内の前記管理対象の所在階及び数量を求めるステップを含む処理とを、
コンピュータに実行させるためのプログラム。
【手続補正２】
【補正対象書類名】明細書
【補正対象項目名】０００７
【補正方法】変更
【補正の内容】
【０００７】
上記課題を解決するために、本発明の建造物内管理対象管理システムの一側面は、建造物内の管理対象に配され、建造物内の気圧及び温度を計測して計測データを出力する気圧センサを具備し、計測データを識別可能な識別情報として送信する発信機（１１０）と、発信機からの識別情報を、ネットワークを介して収集する管理対象管理サーバ（６０）と、管理対象管理サーバ（６０）から提供された識別情報を表示する管理対象情報表示部（３０）を備える携帯端末（１０）とを有し、管理対象管理サーバ（６０）は、発信機（１１０）から送信された計測データに基づいて建造物内の管理対象の所在階及び数量を求める演算部（８０）と、演算部（８０）で求められた管理対象の所在階及び数量に関する管理対象情報、並びに、管理対象が収容された建造物の建造物情報を関連付けて記憶する記憶部（９０）と、記憶部に記憶された管理対象情報及び建造物情報を示す画面データを生成する表示制御部（１００）と、画面データ生成手段により生成された画面データを管理対象情報表示部（３０）に送信する送信手段（７２）とを有し、さらに、建造物内の所定の位置に配置され、その配置位置における高さを基準高さとし、当該基準高さの気圧及び温度、湿度を計測して基準データを出力する基準気象センサ（１２）と、気圧情報及び温度情報、湿度情報を含む気象情報を、気象情報提供サイトからネットワークを介して取得する気象情報取得部（７１）とを備え、演算部（８０）は、気象情報及び基準データの少なくとも一方に基づいて海面気圧ならびに基準となる海抜を算出し、海面気圧及び海抜に基づいて建造物内の管理対象の所在階及び数量を求めることを特徴とする。
【手続補正３】
【補正対象書類名】明細書
【補正対象項目名】０００８
【補正方法】変更
【補正の内容】
【０００８】
本発明の建造物内管理対象管理方法の一側面は、発信機によって、建造物内の気圧及び温度を計測して計測データを出力し、計測データを識別可能な識別情報として送信するステップと、管理対象管理サーバによって、発信機からの識別情報を、ネットワークを介して収集するステップと、携帯端末によって、管理対象管理サーバから提供された識別情報を表示するステップとを備える建造物内管理対象管理方法であって、管理対象管理サーバによって、発信機から送信された計測データに基づいて建造物内の管理対象の所在階及び数量を求めるステップと、求められた前記管理対象の所在階及び数量に関する管理対象情報、並びに、管理対象が収容された建造物の建造物情報を関連付けて記憶するステップと、記憶された管理対象情報及び建造物情報を示す画面データを生成するステップと、生成された画面データを管理対象情報表示部に送信するステップとを有し、気象情報取得部によって、建造物内の所定の位置に配置され、その配置位置における高さを基準高さとし、当該基準高さの気圧及び温度、湿度を計測して基準データを出力するステップと、気圧情報及び温度情報、湿度情報を含む気象情報を、気象情報提供サイトからネットワークを介して取得するステップを有し、演算部によって、気象情報及び基準データの少なくとも一方に基づいて海面気圧ならびに基準となる海抜を算出し、海面気圧及び海抜に基づいて建造物内の管理対象の所在階及び数量を求めるステップを有することを特徴とする。
【手続補正４】
【補正対象書類名】明細書
【補正対象項目名】０００９
【補正方法】変更
【補正の内容】
【０００９】
本発明のプログラムの一側面は、建造物内の管理対象に配され、建造物内の気圧及び温度、湿度を計測して計測データを出力する気圧センサを具備し、前記計測データを識別可能な識別情報として送信する発信機と、発信機からの識別情報を、ネットワークを介して収集する管理対象管理サーバと、管理対象管理サーバから提供された識別情報を表示する管理対象情報表示部を備える携帯端末とを備える建造物内管理対象管理システムにおける建造物内管理対象管理方法をコンピュータに実行させるためのプログラムであって、管理対象管理サーバによって、発信機から送信された計測データに基づいて建造物内の管理対象の所在階及び数量を求めるステップと、求められた管理対象の所在階及び数量に関する管理対象情報、並びに、管理対象が収容された建造物の建造物情報を関連付けて記憶するステップと、記憶された管理対象情報及び建造物情報を示す画面データを生成するステップと、生成された画面データを管理対象情報表示部に送信するステップとを含む処理と、気象情報取得部によって、建造物内の所定の位置に配置され、その配置位置における高さを基準高さとし、当該基準高さの気圧及び温度、湿度を計測して基準データを出力するステップと、必要な気圧情報及び温度情報、湿度情報を含む気象情報を、気象情報提供サイトからネットワークを介して取得するステップとを含む処理と、演算部によって、気象情報及び基準データの少なくとも一方に基づいて海面気圧ならびに基準となる海抜を算出し、海面気圧及び海抜に基づいて建造物内の管理対象の所在階及び数量を求めるステップを含む処理とをコンピュータに実行させる。
【手続補正５】
【補正対象書類名】明細書
【補正対象項目名】００１８
【補正方法】変更
【補正の内容】
【００１８】
［気圧センサ］
気圧センサ１３０は、小型の絶対圧センサであり、例えば、ＳＴ−ＭＩＣＲＯ社製のＬＰＳ２５Ｈ、ＯＭＲＯＮ社製の２ＳＭＰＢ−０１、ＶＴＩＴＥＣＨＮＯＬＯＧＩＥＳ社製、のＳＣＰ１０００、ＢＭＥ２８０等を採用できる。気圧センサ１３０は、温度センサ１３１、湿度センサ１３２を内蔵しており、気圧の計測データ（気圧Ｐ１）と共に気温、湿度の計測データ（気温Ｔ１、湿度Ｄ１）を出力する。
なお、気圧センサ１３０の他に、気象情報配信サーバ１６からの基準となる気象データ（基準気圧Ｐ０、基準気温Ｔ０、基準湿度Ｄ０）を取得する。取得した気象データは管理サーバ６０へ出力される。なお、基準気象センサ１２を建設現場に設置することで、上記の気象データの代用として基準となる気象データ（基準気圧Ｐ０′、基準気温Ｔ０′、基準湿度Ｄ０′）を計測することもできる。基準気象センサ１２で計測された計測データは同様に管理サーバ６０へ出力される。なお、基準気象センサ１２は状況に応じて各階に設けるようにしてもよい。また、気象情報配信サーバ１６と基準気象センサ１２からの気象データは、どちらか一方、もしくは両方を使用することもでき、確度を上げるために機械学習などを用いて基準となる気象データを推定することもできる。
【手続補正６】
【補正対象書類名】明細書
【補正対象項目名】００１９
【補正方法】変更
【補正の内容】
【００１９】
管理サーバ６０のデータベースには、気圧Ｐ１と基準気圧Ｐ０との差（差圧（Ｐ０−Ｐ１））と、温度Ｔ１と基準温度Ｔ０との差（差温（Ｔ０−Ｔ１）、湿度Ｄ１と基準湿度Ｄ０との差（差湿（Ｄ０−Ｄ１）、気圧Ｐ１、Ｔ１、Ｄ１を計測した気圧センサ１３０の所在階（即ち、管理対象１３の所在階）Ｎとの関係を示すマップや演算式等の関係情報が記憶されている。所在階Ｎの算出は管理サーバ６０の演算部８０が行うが詳細は後述する。